(57)【要約】      （修正有）【課題】頭部から首を一つの用具で保温・保護し、頭部に被らない場合は襟状を成し且つ首の保温用になる用具を提供する。【解決手段】柔軟性及び伸縮性を有する衣服及び帽子の材料を円筒状に成型し図１，２，３に示すようなマフラー兼帽子を制作した。形状も小さく持ち運びも簡単、冬期の防寒保温、夏期の職場でのクーラー対策に手軽に使用出来る。耐紫外線効果のある薄手のポリエステルニットや、絹製ニット等薄手でも保温力があり紫外線除け機能がある素材で形成することで、室内では保温力の高いオシャレなドレープ状の襟の形状「タートルネック状」を成し、室外では遮光や紫外線除けの袋状帽子（フード）として簡便に使用出来る。【選択図】図３
2007314921.tif 000002
【特許請求の範囲】
【請求項１】
柔軟性及び伸縮性を有する衣服及び帽子の素材を、両端に開口部を有する円筒状に成型し、一方の開口部を首に被せ他方の開口部から顔が出る様に寸法調整をすることで、首・頭部・頬・耳を覆う防寒・保温力の高い袋状帽子（フード）を成すが、素材を選ぶことで真冬の防寒用から、クーラーの冷風除け、防塵、防紫外線、風雨除け等、使用範囲が広く、開口部を頭部から首へ下げた場合フード部分が袋状に現出せず、首を包む襟状を成し保温或いは保護することを特徴とするマフラー兼帽子。
【請求項２】
請求項１記載の本願品は筒状である為にドア等に挟まれず、又、風にも飛ばされないが、通常使用されるマフラー及びスカーフよりも素材の使用面積が少なく、帽子としても縫製個所が過小で、使用しない場合には小さく折りたためる為、持ち運び・洗濯・収納が簡便であることを特徴とするマフラー兼帽子。
【請求項３】
請求項１の顔側の開口部を鍔付き帽に取り付けるか、或いは前頭頂部を覆う帽体又は帽体と鍔を取り付ける事で、虫除け、遮光、防塵、防紫外線及び、人体の髪の毛その他を本願品内に封じ込める防塵能力が高まることを特徴とするマフラー兼帽子。
【請求項４】
請求項１、２の本願品をコートその他使用目的に合わせた衣服に接続することで、保温、虫除け、遮光、防塵、防紫外線、防電磁波及び、人体の髪の毛その他を本願品内に封じ込める防塵能力等を更に高めることを特徴とするマフラー兼帽子。
【発明の詳細な説明】
【技術分野】
【０００１】  本発明は首から頭部、頬、耳を保温・保護する用途を、帽子、耳当て、襟巻き等に分けることなく、帽子のオーダーメードに関わる製造技術と立体裁断技術を駆使し考案した１枚の筒状の布で首から頭部を保温・保護し、頭を覆わない時には襟状になるマフラー兼帽子に関するものである。
【背景技術】
【０００２】  従来の長い長方形のマフラーは解け易く固定しにくく、回転物に巻き込まれ電車のドアに挟むなどの危険も有り、室内では使用し難い等々の欠点を持つ。帽子は基本的に首や頬を覆わず、スケート選手が被る頭部にピッタリとしたフードやスキー場で被るニットの目出し帽等は、首から上を覆うがマフラー機能は無く、従来筒状の布や編み物で帽子を作る技術もあったが、それは帽子を形作るのみで首を保温する機能は無い。又、筒形及び輪形の織物や編み物で首の保温具（ネックウォーマー）を形成しても頭部までを保温する機能は無かった。【０００３】  そこで、従来、頭部や首を包み込む防寒具が幾つか提案されて来ている。例えば、次のようなものがある。
（１）第１の従来技術…特開平７−２１６６１９号公報
筒状の本体の両端のどちらをかぶり口にしてもよく、糸、紐、ゴム輪、止め具等を用いて自分好みの形の帽子を作ることを特徴とした多目的帽子。【０００４】  （２）第２の従来技術…特開平５−２６３３０５号公報
筒状に編んだ素材を２つ重ねにして編製した台形の筒で多目的に被る。両端のどちらかをかぶり口とし頭や首、或いは首から頭に被るが反対側は開いたまま使用する。【０００５】  （３）第３の従来技術…特開２００２−２６６１３１号公報
毛糸等の材料を編み矩形の素地を作り、一方の短辺を１８０度ねじって他方の短辺に接続してメビウスの輪の形状を持つようにしたマフラー兼帽子。首に通してマフラー、頭に被り帽子にする。帽子として被った場合反対側の口は開いている。【０００６】  （４）第４の従来技術…特開２００２−２０１５０９号公報
伸縮性に富む布地で筒状に縫製したタートルネック部と、タートルネック部の下縁に上端を取着した前垂れ部とからなり、上衣の上から着用して上衣内に収納し、頭に乗せて帽子に転用出来る。帽子として被った場合反対側の口は開いている。
【発明の開示】
【発明が解決しようとする課題】
【０００７】  しかしながら、前述した従来の技術には、次のような問題点があった。第１の従来技術は、筒状の帽子であるが、どのような被り方をしても頬と首は覆い難く首の保温にはマフラーが必要であった。【０００８】  第２の従来技術は変形した筒形で、頭部から頬、前首部を覆うほおかむり状にはなるが後ろ首と後頭部は露出した。【０００９】  第３の従来技術は、マフラーとして使用した場合は頭を覆わず、帽子として被った場合は反対側の口は開いており、首の保温も出来ない。【００１０】  第４の従来技術は襟状で頭は覆わず、頭に被る場合反対側の口は開いており、首の保温は出来ない。【００１１】  本発明は、以上のような問題点を解決することを課題とするものである。
【課題を解決するための手段】
【００１２】  本発明は頭部から首を一つの用具で保温・保護し、頭部に被らない場合は襟状を成し且つ首の保温用になる用具を提供する事を目的としており、柔軟性及び伸縮性を有する衣服及び帽子の材料で、円筒状あるいは台形の円筒状に成型し衣服の襟状を成す。従ってその使用要件に合わせて素材を選ぶ事で、室内での首周りの保温具及び夏期の冷房対策を成し、屋外ではフードと襟巻きを兼用し防寒保温具として使用すると共に、遮光、防塵、防紫外線、雨除け具として被ることを特徴としている。【００１３】  使用用途に応じ円筒形か裾広がりの台形状、円筒の切断面の角度の変更、前頭頂部を覆う帽体と鍔などを足す事等によりあらゆる要件の首から上を覆う用具を成す。首の後にフード部分が袋状に現出しないので、屋外でフードを脱いだ場合に雪や埃や虫をフード内から衣服内に入れる危険が少ない。【００１４】  簡易な形状を成すが為に、衣服同様に洗濯出来る。【００１５】  簡易な形状を成すが為に、着用しない時の持ち歩きが楽である。【００１６】  簡易な形状を成すが為に、衣服と同様に収納し易い。【００１７】  請求項３に記載の発明は、顔側の開口部に前頭頂部を覆う帽体と鍔を付ける事で、顔の開口部にゆとりを持たせ、吸水性の高い布地を用いれば陽光の強い季節の野外作業の汗取りや遮光、防塵、虫除け、紫外線除けに効果が高い。又、防塵帽子の役割も持つ。【００１８】  請求項４に記載の発明は、コートその他衣服に襟状に接続する事で防寒保温、防護、防塵、遮光、防紫外線効果等の機能が高まる。つまり、各種防寒保温具、防塵服はもとより、屋外作業での雑草の花粉や実、棘等からの防護、防塵、防虫、遮光、紫外線除け効果が上がり、簡易な形態なので花粉や埃を除き易く洗濯が楽である。又、防電磁波用途にも使用できる。
【発明を実施するため最良の形態】
【００１９】  前記課題を解決する為に、本発明では、次のようなマフラー兼帽子を提供する事とした。
【００２０】  以下、本発明の実施の形態を図１〜図７に基づいて説明する。
【００２１】  本発明は使用用途に応じ筒状形や裾広がりの筒状形のマフラー兼帽子図１の、かぶり口（１）から被り、（２）から顔を出す。首元をゆったりしたい場合は台形状の筒状形２（Ａ）、或いはマフラーの多重巻き風を選ぶならば筒状形の図２（Ｂ）という様に好みで選び、それぞれ首から頬、頭部までを包み込む図３。素材により防寒、保温、防護、防塵、防虫、遮光、防紫外線効果を得るが、鍔付き帽や帽体、或いは帽体と鍔を取り付ける事でその効用が増す図４、図５。花粉症あるいは防塵等で体を包み込む場合は衣服と繋げる事で効果が上がる図６、図７。首部ゆとり（３）により耳周り首周りが阻害されず音の聞こえが自然で、首の動きや汗拭き等が楽である。
【図面の簡単な説明】
【００２２】
【図１】（Ａ）本発明に係るマフラー兼帽子の台形の筒状形の斜視図。（Ｂ）筒状形の斜視図。
【図２】（Ａ）本発明に係るマフラー兼帽子の台形の筒状形を首に通した状態及び、（Ｂ）筒状形を首に通した状態を示す図である。
【図３】（Ａ）本発明に係るマフラー兼帽子の台形の筒状形を首に通し頭に被った状態及び、（Ｂ）筒状形を首に通し頭に被った状態を示す図である。
【図４】（Ａ）本発明に係るマフラー兼帽子の台形の筒状形の顔側開口部に前頭頂部を覆う帽体と鍔を付けた状態及び、（Ｂ）筒状形の顔側開口部に前頭頂部を覆う帽体と鍔を付けた状態を示す図である。
【図５】（Ａ）本発明に係るマフラー兼帽子の台形の筒状形の顔側開口部に前頭頂部を覆う帽体を付けた状態及び、（Ｂ）筒状形の顔側開口部に前頭頂部を覆う帽体を付けた状態を示す図である。
【図６】（Ａ）本発明に係るマフラー兼帽子を衣服に繋げた状態及び、（Ｂ）防塵・防紫外線用衣服に帽体と鍔付きのマフラー兼帽子を繋げた状態。（Ｃ）衣服に帽体付きのマフラー兼帽子を繋げた状態を示す図である
【図７】（Ａ）男性用衣服に本発明に係るマフラー兼帽子の帽体と鍔付きを繋げ着用した状態及び同様に、（Ｂ）帽体付きのマフラー兼帽子を繋げて着用した状態を示す図である。
【符号の説明】
【００２３】  １  首側かぶり口
２  顔側かぶり口
３  首部ゆとり
４  帽体
５  鍔
【図１】
2007314921.tif 000003
【図２】
2007314921.tif 000004
【図３】
2007314921.tif 000005
【図４】
2007314921.tif 000006
【図５】
2007314921.tif 000007
【図６】
2007314921.tif 000008
【図７】
2007314921.tif 000009